(57)【要約】【課題】より多くの画像データに対して撮影時の撮影シーンに適した画像処理を実行すること。【解決手段】ＣＰＵは、取得した画像ファイルＧＦに撮影情報が含まれている場合には、撮影情報に撮影モードに関する記述がなされているか否かを判定し、撮影モードが記述されている場合には、記述されている撮影モードに対応する画像処理モードＧＭを選択し、選択した画像処理モードＧＭに従って画像データＧＤに対する画質調整処理を実行する。ＣＰＵは、撮影情報に撮影モードが記述されていない場合には、その他の撮影情報に基づいて画像処理モードＧＭを選択し、選択した画像処理モードＧＭに従って画像データＧＤに対する画質調整処理を実行する。【選択図】  図５
2005033502.tif 000002
【特許請求の範囲】
【請求項１】
撮影時における撮影情報を含む画像データに対して、撮影時の撮影シーンに適した画像処理を実行する画像処理装置であって、
画像データを取得する画像データ取得手段と、
撮影シーンに適した複数のシーン別画像処理条件を記憶する記憶手段と、
前記撮影情報を用いて前記撮影時の撮影シーンを判定する撮影シーン判定手段と、
前記判定された撮影シーンに適切な前記シーン別画像処理条件を前記記憶手段から取得するシーン別画像処理条件取得手段と、
前記取得されたシーン別画像処理条件を用いて前記画像データに対する画質調整処理を実行する画質調整手段とを備える画像処理装置。
【請求項２】
請求項１に記載の画像処理装置において、
前記撮影シーンの判定は、前記撮影情報に設定された撮影シーンの情報が含まれている場合には、撮影シーンの情報を用いて実行される画像処理装置。
【請求項３】
請求項１に記載の画像処理装置において、
前記撮影シーンの判定は、前記撮影情報に含まれる、露出時間、Ｆナンバー、レンズ焦点距離、撮影時間、露出プログラム、絞り値、シャッター速度、被写体距離レンジ、ＩＳＯスピードレート、フラッシュの情報を用いて実行される画像処理装置。
【請求項４】
請求項２に記載の画像処理装置において、
前記撮影シーンの判定は、前記撮影情報に設定された撮影シーンの情報が含まれていない場合には、前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行される画像処理装置。
【請求項５】
請求項１ないし請求項４のいずれかに記載の画像処理装置において、
前記シーン別画像処理条件は、個々の撮影シーンに応じて予め用意された複数の画質に関わるパラメータ値の組み合わせである画像処理装置。
【請求項６】
撮影時における撮影情報を含む画像データに対して、撮影シーンに応じて用意された複数のシーン別画像処理条件を用いて撮影シーンに適した画像処理方法であって、
前記撮影情報を用いて前記選択された撮影シーンを判定し、
撮影シーンに適した複数のシーン別画像処理条件を記憶する記憶装置から、前記判定した撮影シーンに適切なシーン別画像処理条件を選択し、
前記選択したシーン別画像処理条件を用いて前記画像データに対する画質調整処理を実行する画像処理方法。
【請求項７】
撮影時における撮影情報を含む画像データに対して、撮影シーンに応じて用意された複数のシーン別画像処理条件を用いて撮影シーンに適した画像処理を実行するプログラムであって、
前記撮影情報を用いて前記選択された撮影シーンを判定する機能と、
撮影シーンに適した複数のシーン別画像処理条件を記憶する記憶装置から、前記判定した撮影シーンに適切なシーン別画像処理条件を選択する機能と、
前記選択したシーン別画像処理条件を用いて前記画像データに対する画質調整処理を実行する機能とをコンピュータによって実行させる画像処理プログラム。
【請求項８】
撮影時における撮影情報を含む画像データに対して画像処理を実行する画像処理装置であって、
前記画像データに対する複数の異なる画像処理条件を記憶する記憶手段と、
前記撮影情報を用いて撮影時の撮影条件に適した画像処理条件を前記記憶手段から選択する選択手段と、
前記選択された画像処理条件を用いて前記画像データに対する画質調整処理を実行する画質調整手段とを備える画像処理装置。
【請求項９】
請求項８に記載の画像処理装置において、
前記画像処理条件の選択は、前記撮影情報に撮影時の撮影シーンの情報が含まれている場合には、撮影シーンの情報を用いて実行される画像処理装置。
【請求項１０】
請求項８に記載の画像処理装置において、
前記画像処理条件の選択は、少なくとも前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行される画像処理装置。
【請求項１１】
請求項９に記載の画像処理装置において、
前記画像処理条件の選択は、前記撮影情報に撮影時の撮影シーンの情報が含まれていない場合には、少なくとも前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行される画像処理装置。
【請求項１２】
請求項８ないし請求項１１のいずれかに記載の画像処理装置において、
前記画像処理条件は、個々の撮影シーンに応じて予め用意された複数の画質に関わるパラメータ値の組み合わせである画像処理装置。
【請求項１３】
撮影時における撮影情報を含む画像データに対して画像処理を実行する画像処理方法であって、
前記撮影情報を用いて撮影時の撮影条件に適した画像処理条件を、予め用意された前記画像データに対する複数の異なる画像処理条件の中から選択し、
前記選択した画像処理条件を用いて前記画像データに対する画質調整処理を実行する画像処理方法。
【請求項１４】
撮影時における撮影情報を含む画像データに対して画像処理を実行する画像処理プログラムであって、
前記撮影情報を用いて撮影時の撮影条件に適した画像処理条件を、予め用意された前記画像データに対する複数の異なる画像処理条件の中から選択する機能と、
前記選択した画像処理条件を用いて前記画像データに対する画質調整処理を実行する機能とをコンピュータによって実行させる画像処理プログラム。
【請求項１５】
撮影時の撮影シーンに適した画像処理が施された、撮影時における撮影情報を含む画像データを用いて画像を出力する画像出力装置であって、
画像データを取得する画像データ取得手段と、
撮影シーンに適した複数のシーン別画像処理条件を記憶する記憶手段と、
前記撮影情報を用いて前記撮影時の撮影シーンを判定する撮影シーン判定手段と、
前記判定された撮影シーンに適切な前記シーン別画像処理条件を前記記憶手段から取得するシーン別画像処理条件取得手段と、
前記取得されたシーン別画像処理条件を用いて前記画像データに対する画質調整処理を実行する画質調整手段と、
前記画質調整処理が施された画像データを用いて画像を出力する画像出力手段とを備える画像出力装置。
【請求項１６】
撮影時の撮影シーンに適した画像処理が施された、撮影時における撮影情報を含む画像データを用いて画像を出力する画像出力装置であって、
前記画像データに対する複数の異なる画像処理条件を記憶する記憶手段と、
前記撮影情報を用いて撮影時の撮影条件に適した画像処理条件を前記記憶手段から選択する選択手段と、
前記選択された画像処理条件を用いて前記画像データに対する画質調整処理を実行する画質調整手段と、
前記画質調整処理が施された画像データを用いて画像を出力する画像出力手段とを備える画像出力装置。
【発明の詳細な説明】
【０００１】
【発明の属する技術分野】
本発明は、撮影時の撮影条件を記述する撮影情報を用いて画像データに対する画像処理を実行する画像処理技術に関する。
【０００２】
【従来の技術】
ポートレート、夜景といった撮影シーンに応じた撮影モードを備えるディジタルスチルカメラ（ＤＳＣ）が実用化されている。これらＤＳＣでは、撮影モードが選択されると、シャッター速度、露出等の複数の撮影パラメータの値は対応する撮影シーンに応じて予め設定された値に設定される。したがって、撮影者は、撮影パラメータを個別に設定する必要がなく、簡易に撮影シーンに応じた撮影条件にて被写体を撮影することができる。選択された撮影モードは、ＤＳＣのファイルフォーマット規格であるＥｘｉｆ２．２に準拠する画像データでは、シャッター速度、露出モード、光源等の他の撮影条件と共に撮影シーン情報として画像データのヘッダ相当部に撮影情報として記述される（特許文献１参照）。
【０００３】
【特許文献１】
特開２００２−３４４９８９号公報
【０００４】
【発明が解決しようとする課題】
しかしながら、パーソナルコンピュータ、プリンタといった画像処理装置における画像処理時に、撮影情報が有効に活用されなければ、撮影シーンに適した画像処理を実行することができず、ＤＳＣにおいて撮影シーン（撮影モード）を設定する意味がなくなってしまう。
【０００５】
また、撮影モードは、必ずしも撮影シーン（撮影環境）に応じて切り換えられるとは限らず、例えば、常に「標準」のまま撮影されることが少なくない。したがって、撮影モードに依存することなく、あるいはユーザによる撮影条件の設定に依存することなく撮影時の撮影シーンに適した画像処理を実行することが望まれる。
【０００６】
本発明は、上記課題を解決するためになされたものであり、より多くの画像データに対して撮影時の撮影シーンに適した画像処理を実行することを目的とする。
【０００７】
【課題を解決するための手段および作用・効果】
上記課題を解決するために本発明の第１の態様は、撮影時における撮影情報を含む画像データに対して、撮影時の撮影シーンに適した画像処理を実行する画像処理装置を提供する。本発明の第１の態様に係る画像処理装置は、画像データを取得する画像データ取得手段と、撮影シーンに適した複数のシーン別画像処理条件を記憶する記憶手段と、前記撮影情報を用いて前記撮影時の撮影シーンを判定する撮影シーン判定手段と、前記判定された撮影シーンに適切な前記シーン別画像処理条件を前記記憶手段から取得するシーン別画像処理条件取得手段と、前記取得されたシーン別画像処理条件を用いて前記画像データに対する画質調整処理を実行する画質調整手段とを備えることを特徴とする。
【０００８】
本発明の第１の態様に係る画像処理装置によれば、撮影時の撮影シーンに適したシーン別画像処理条件を取得し、取得したシーン別画像処理条件を用いて画質調整処理を実行することができる。したがって、撮影時の撮影情報を有効に活用して、多くの画像データに対して撮影時の撮影シーン（撮影環境、撮影場面）に適した画質調整処理を実行することができる。
【０００９】
本発明の第１の態様に係る画像処理装置において、前記撮影シーンの判定は、前記撮影情報に設定された撮影シーンの情報が含まれている場合には、撮影シーンの情報を用いて実行されても良い。かかる場合には、撮影時の撮影シーン情報を用いるので、より適切に撮影シーンに適した画質調整処理を実行することができる。
【００１０】
本発明の第１の態様に係る画像処理装置において、前記撮影シーンの判定は、前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行されても良い。これら撮影情報は、一般的に、撮像装置によって測定、演算されるパラメータであり、撮像装置によって撮影者の意図とは無関係に撮影情報に常に書き込まれる情報である。したがって、これら情報を用いることにより、常に撮影シーンを推定し、撮影シーンに適した画質調整処理を実行することができる。
【００１１】
本発明の第１の態様に係る画像処理装置において、前記撮影シーンの判定は、前記撮影情報に設定された撮影シーンの情報が含まれていない場合には、前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行されても良い。かかる場合には、撮影シーンの情報を利用することができない場合であっても、これら情報を用いることにより、撮影シーンを推定し、撮影シーンに応じた画質調整処理を実行することができる。
【００１２】
本発明の第１の態様に係る画像処理装置において、前記シーン別画像処理条件は、個々の撮影シーンに応じて予め用意された複数の画質に関わるパラメータ値の組み合わせであっても良い。かかる場合には、画質調整処理の結果を、より精度良く撮影シーンに適合させることができる。
【００１３】
本発明の第１の態様は、撮影時における撮影情報を含む画像データに対して、撮影シーンに応じて用意された複数のシーン別画像処理条件を用いて撮影シーンに適した画像処理方法としても実現され得る。本発明の第１の態様に係る画像処理方法は、前記撮影情報を用いて前記選択された撮影シーンを判定し、撮影シーンに適した複数のシーン別画像処理条件を記憶する記憶装置から、前記判定した撮影シーンに適切なシーン別画像処理条件を選択し、前記選択したシーン別画像処理条件を用いて前記画像データに対する画質調整処理を実行することを特徴とする。
【００１４】
本発明の第１の態様に係る画像処理方法によれば、本発明の第１の態様に係る画像処理装置と同様の作用効果を得ることができると共に、本発明の第１の態様に係る画像処理方法は、本発明の第１の態様に係る画像処理装置と同様にして種々の態様にて実現され得る。
【００１５】
本発明の第１の態様は、撮影時における撮影情報を含む画像データに対して、撮影シーンに応じて用意された複数のシーン別画像処理条件を用いて撮影シーンに適した画像処理を実行するプログラムとしても実現され得る。本発明の第１の態様に係る画像処理プログラムは、前記撮影情報を用いて前記選択された撮影シーンを判定する機能と、撮影シーンに適した複数のシーン別画像処理条件を記憶する記憶装置から、前記判定した撮影シーンに適切なシーン別画像処理条件を選択する機能と、前記選択したシーン別画像処理条件を用いて前記画像データに対する画質調整処理を実行する機能とをコンピュータによって実行させることを特徴とする。
【００１６】
本発明の第１の態様に係る画像処理プログラムによれば、本発明の第１の態様に係る画像処理装置と同様の作用効果を得ることができると共に、本発明の第１の態様に係る画像処理プログラムは、本発明の第１の態様に係る画像処理装置と同様にして種々の態様にて実現され得る。また、画像処理プログラムは記録媒体に格納されても良い。
【００１７】
本発明の第２の態様は、撮影時における撮影情報を含む画像データに対して画像処理を実行する画像処理装置を提供する。本発明の第２の態様に係る画像処理装置は、前記画像データに対する複数の異なる画像処理条件を記憶する記憶手段と、前記撮影情報を用いて撮影時の撮影条件に適した画像処理条件を前記記憶手段から選択する選択手段と、前記選択された画像処理条件を用いて前記画像データに対する画質調整処理を実行する画質調整手段とを備えることを特徴とする。
【００１８】
本発明の第２の態様に係る画像処理装置によれば、画像データに対する複数の異なる画像処理条件を記憶する記憶手段から、撮影情報を用いて撮影時の撮影条件に適した画像処理条件を選択し、選択した画像処理条件を用いて画質調整処理を実行することができる。したがって、撮影時の撮影情報を有効に活用して、多くの画像データに対して撮影時の撮影条件（撮影場面）に適した画質調整処理を実行することができる。
【００１９】
本発明の第２の態様に係る画像処理装置において、前記画像処理条件の選択は、前記撮影情報に撮影時の撮影シーンの情報が含まれている場合には、撮影シーンの情報を用いて実行されても良い。かかる場合には、撮影時の撮影シーン情報を用いるので、総合的に撮影条件に適した画質調整処理を実行することができる。
【００２０】
本発明の第２の態様に係る画像処理装置において、前記画像処理条件の選択は、少なくとも前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行されても良い。これら撮影情報は、一般的に、撮像装置によって測定、演算されるパラメータであり、撮像装置によって撮影情報に常に書き込まれる情報である。したがって、これら情報を用いることにより、常に、撮影条件に適した画質調整処理を実行することができる。
【００２１】
本発明の第２の態様に係る画像処理装置において、前記画像処理条件の選択は、前記撮影情報に撮影時の撮影シーンの情報が含まれていない場合には、少なくとも前記撮影情報に含まれる露出時間、Ｆナンバー、レンズ焦点距離、撮影時間、露出プログラム、絞り値、シャッター速度、被写体距離レンジ、ＩＳＯスピードレート、フラッシュの情報を用いて実行されるても良い。かかる場合には、撮影シーンの情報を利用することができない場合であっても、これら情報を用いることにより、撮影条件に応じた画質調整処理を実行することができる。
【００２２】
本発明の第２の態様に係る画像処理装置において、前記画像処理条件は、個々の撮影シーンに応じて予め用意された複数の画質に関わるパラメータ値の組み合わせであっても良い。かかる場合には、画質調整処理の結果を、より精度良く総括的に撮影条件に適合させることができる。
【００２３】
本発明の第２の態様は、撮影時における撮影情報を含む画像データに対して画像処理を実行する画像処理方法としても実現され得る。本発明の第２の態様に係る画像処理方法は、前記撮影情報を用いて撮影時の撮影条件に適した画像処理条件を、予め用意された前記画像データに対する複数の異なる画像処理条件の中から選択し、前記選択した画像処理条件を用いて前記画像データに対する画質調整処理を実行することを特徴とする。
【００２４】
本発明の第２の態様に係る画像処理方法によれば、本発明の第２の態様に係る画像処理装置と同様の作用効果を得ることができると共に、本発明の第２の態様に係る画像処理方法は、本発明の第２の態様に係る画像処理装置と同様にして種々の態様にて実現され得る。
【００２５】
本発明の第２の態様は。撮影時における撮影情報を含む画像データに対して画像処理を実行する画像処理プログラムとしても実現される。本発明の第２の態様に係る画像処理プログラムは、前記撮影情報を用いて撮影時の撮影条件に適した画像処理条件を、予め用意された前記画像データに対する複数の異なる画像処理条件の中から選択する機能と、前記選択した画像処理条件を用いて前記画像データに対する画質調整処理を実行する機能とをコンピュータによって実行させることを特徴とする。
【００２６】
本発明の第２の態様に係る画像処理プログラムによれば、本発明の第２の態様に係る画像処理装置と同様の作用効果を得ることができると共に、本発明の第２の態様に係る画像処理プログラムは、本発明の第２の態様に係る画像処理装置と同様にして種々の態様にて実現され得る。また、画像処理プログラムは記録媒体に格納されても良い。
【００２７】
本発明の第３の態様は、撮影時の撮影シーンに適した画像処理が施された、撮影時における撮影情報を含む画像データを用いて画像を出力する画像出力装置を提供する。本発明の第３の態様に係る画像出力装置は、画像データを取得する画像データ取得手段と、撮影シーンに適した複数のシーン別画像処理条件を記憶する記憶手段と、前記撮影情報を用いて前記撮影時の撮影シーンを判定する撮影シーン判定手段と、前記判定された撮影シーンに適切な前記シーン別画像処理条件を前記記憶手段から取得するシーン別画像処理条件取得手段と、前記取得されたシーン別画像処理条件を用いて前記画像データに対する画質調整処理を実行する画質調整手段と、前記画質調整処理が施された画像データを用いて画像を出力する画像出力手段とを備えることを特徴とする。
【００２８】
本発明の第３の態様に係る画像出力装置によれば、撮影時の撮影シーンに適したシーン別画像処理条件を用いて画質調整処理が施された画像データを用いて画像を出力することができる。したがって、撮影時の撮影シーン（撮影環境、撮影場面）に適した出力画像を得ることができる。
【００２９】
本発明の第４の態様は、撮影時の撮影シーンに適した画像処理が施された、撮影時における撮影情報を含む画像データを用いて画像を出力する画像出力装置を提供する。本発明の第５の態様に係る画像出力装置は、前記画像データに対する複数の異なる画像処理条件を記憶する記憶手段と、前記撮影情報を用いて撮影時の撮影条件に適した画像処理条件を前記記憶手段から選択する選択手段と、前記選択された画像処理条件を用いて前記画像データに対する画質調整処理を実行する画質調整手段と、前記画質調整処理が施された画像データを用いて画像を出力する画像出力手段とを備えることを特徴とする。
【００３０】
本発明の第４の態様に係る画像出力装置によれば、撮影時の撮影条件に適した画像処理条件を用いて画質調整処理が施された画像データを用いて画像を出力することができる。したがって、撮影時の撮影条件（撮影場面）に適した出力画像を得ることができる。
【００３１】
本発明の第４および第５の態様は、この他にも方法、プログラム、プログラムを記録した記録媒体の形態を取り得ると共に、方法、プログラム、プログラムを記録した記録媒体の形態を取る場合には、画像出力装置と同様の作用効果を得ることができる。また、方法、プログラム、プログラムを記録した記録媒体の形態を取る場合にも画像出力装置の場合と同様にして種々の態様を取り得る。
【００３２】
【発明の実施の形態】
以下、本発明に係る画像処理装置について図面を参照しつつ、実施例に基づいて説明する。
【００３３】
Ａ．画像処理システムの構成：
第１の実施例に係る画像処理装置を適用可能な画像処理システムの構成について図１〜図４を参照して説明する。図１は本発明に係る画像処理装置を適用可能な画像処理システムの一例を示す説明図である。図２は画像ファイル（画像データ）を生成可能なディジタルスチルカメラの概略構成を示すブロック図である。図３はディジタルスチルカメラにおける撮影モードの選択場面を示す説明図である。図４は本実施例に係る画像処理装置として機能するカラープリンタの概略構成を示すブロック図である。
【００３４】
画像処理システムは、画像ファイルを生成する入力装置としてのディジタルスチルカメラ１２、ディジタルスチルカメラ１２にて生成された画像ファイルに基づいて画像処理を実行し、印刷用画像データを出力する画像処理装置としてのパーソナルコンピュータＰＣ、印刷用画像データを用いて画像を出力する出力装置としてのカラープリンタ２０を備えている。なお、カラープリンタ２０は、パーソナルコンピュータＰＣが備える画像処理機能を備えていても良く、かかる場合には、スタンドアローンにて画像処理、画像出力を実行することができる。また、出力装置としては、プリンタ２０の他に、ＣＲＴディスプレイ、ＬＣＤディスプレイ等のモニタ１４、プロジェクタ等が用いられ得る。以下の説明では、パーソナルコンピュータＰＣと接続されて用いられるカラープリンタ２０を出力装置として用いるものとする。
【００３５】
パーソナルコンピュータＰＣは、一般的に用いられているタイプのコンピュータであり、本発明に係る画像処理プログラムを実行するＣＰＵ１５０、ＣＰＵ１５０における演算結果、画像データ等を一時的に格納するＲＡＭ１５１、画像処理プログラムを格納するハードディスクドライブ（ＨＤＤ）１５２を備えている。パーソナルコンピュータＰＣは、メモリカードＭＣを装着するためのカードスロット１５３、ディジタルスチルカメラ１２等からの接続ケーブルを接続するための入出力端子１５４を備えている。
【００３６】
ディジタルスチルカメラ１２は、光の情報をディジタルデバイス（ＣＣＤや光電子倍増管）に結像させることにより画像を取得するカメラであり、図２に示すように光情報を収集するためのＣＣＤ等を備える光学回路１２１、光学回路１２１を制御して画像を取得するための画像取得回路１２２、取得したディジタル画像を加工処理するための画像処理回路１２３、メモリを備えると共に各回路を制御する制御回路１２４を備えている。ディジタルスチルカメラ１２は、取得した画像をディジタルデータとして記憶装置としてのメモリカードＭＣに保存する。ディジタルスチルカメラ１２における画像データの保存形式としては、非可逆圧縮保存方式としてＪＰＥＧデータ形式、可逆圧縮保存方式としてＴＩＦＦデータ形式が一般的であるが、この他にもＲＡＷデータ形式、ＧＩＦデータ形式、ＢＭＰデータ形式等の保存形式が用いられ得る。
【００３７】
ディジタルスチルカメラ１２はまた、図３にも示すように、選択・決定ボタン１２６と、撮影画像をプレビューしたり、選択・決定ボタン１２６を用いた選択・決定を実行するための液晶ディスプレイ１２７とを備えている。選択・決定ボタン１２６は、シャッター速度、露出プログラム、ＩＳＯスピードレート等の撮影条件、夕景、夜景、ポートレートといった撮影シーンに応じて予め複数の撮影パラメータの値が設定されている撮影モードを設定するために用いられても良い。
【００３８】
ディジタルスチルカメラ１２は、画像データ撮影時における撮影情報（Ｅｘｉｆ情報）と画像データとを関連づけて画像ファイルＧＦとしてメモリカードＭＣに格納する。ユーザによって、人物、夜景、風景といった撮影条件に適した撮影モード（撮影シーン）が選択された場合には、選択された撮影モードが撮影情報として画像データに関連づけられてメモリカードＭＣに格納される。なお、撮影情報のパラメータ値には、露光補正量、ホワイトバランス等といった個別に指定可能なパラメータ値も含まれ得ることはいうまでもない。
【００３９】
ディジタルスチルカメラ１２において生成された画像ファイルＧＦは、例えば、ケーブルＣＶ、コンピュータＰＣを介して、あるいは、ケーブルＣＶを介してカラープリンタ２０に送出される。あるいは、ディジタルスチルカメラ１２にて画像ファイルＧＦが格納されたメモリカードＭＣが、メモリカード・スロットに装着されたコンピュータＰＣを介して、あるいは、メモリカードＭＣをプリンタ２０に対して直接、接続することによって画像ファイルがカラープリンタ２０に送出される。なお、以下の説明では、撮影情報を用いた画像データに対する画像処理がパーソナルコンピュータＰＣにて実行され、処理済みの画像データがカラープリンタ２０に対して出力される場合について説明する。
【００４０】
図４に示すカラープリンタ２０は、カラー画像の出力が可能なプリンタであり、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式のプリンタである。あるいは、カラートナーを印刷媒体上に転写・定着させて画像を形成する電子写真方式のプリンタである。色インクには、上記４色に加えて、ライトシアン（薄いシアン、ＬＣ）、ライトマゼンタ（薄いマゼンタ、ＬＭ）、ダークイエロ（暗いイエロ、ＤＹ）を用いても良い。
【００４１】
カラープリンタ２０は、図示するように、キャリッジ３０に搭載された印字ヘッドＩＨ１〜ＩＨ４を駆動してインクの吐出およびドット形成を行う機構と、このキャリッジ３０をキャリッジモータ３１によってプラテン３２の軸方向に往復動させる機構と、紙送りモータ３３によって印刷用のカット紙４０を搬送する機構と、制御回路５０とから構成されている。キャリッジ３０をプラテン３２の軸方向に往復動させる機構は、プラテン３２の軸と並行に架設されたキャリッジ３０を摺動可能に保持する摺動軸３４と、キャリッジモータ３１との間に無端の駆動ベルト３５を張設するプーリ３６等から構成されている。
【００４２】
制御回路５０は、パーソナルコンピュータＰＣから送出された印刷コマンドに従い、紙送りモータ３３やキャリッジモータ３１、印字ヘッドＩＨ１〜ＩＨ４の動きを適切に制御して、パーソナルコンピュータＰＣから送られてきた画像データを印刷媒体上に画像として出力する。キャリッジ３０にはインクカートリッジＩＮＣ１とインクカートリッジＩＮＣ２とが装着される。インクカートリッジＩＮＣ１には黒（Ｋ）インクが収容され、インクカートリッジＩＮＣ２には他のインク、すなわち、シアン（Ｃ），マゼンタ（Ｍ），イエロ（Ｙ）の３色インクが収納されている。ライトシアン（ＬＣ），ライトマゼンタ（ＬＭ），ダークイエロ（ＤＹ）のインクも収納可能であることは既述の通りである。
【００４３】
Ｂ．画像ファイルの構成：
本実施例に係る画像ファイルＧＦは、例えば、電子情報技術産業協会（ＪＥＩＴＡ）によってディジタルスチルカメラ用画像ファイルフォーマットの規格として提唱されているＥｘｉｆフォーマットに従うファイル構造（Ｅｘｉｆファイル）、Ｃ−Ｃｕｂｅ  Ｍｉｃｒｏｓｙｓｔｅｍｓ社，  Ｘｉｎｇ  Ｔｅｃｈｎｏｌｏｇｙ社，  Ｄｉｇｉｔａｌ  Ｏｒｉｇｉｎ（Ｒａｄｉｕｓ）社の３社によって策定された、ＪＰＥＧデータファイルの互換性を目的とした規格であるＪＦＩＦフォーマットに従うファイル構造（ＪＦＩＦファイル）、画像データに関するパラメータをタグ形式にて指定するＴＩＦＦフォーマットに従うファイル構造（ＴＩＦＦファイル）を備えることができる。Ｅｘｉｆファイルは、格納する画像データの種類によって、非可逆圧縮タイプのＪＰＥＧ画像データを格納するＪＰＥＧ−Ｅｘｉｆファイル、可逆圧縮タイプのＴＩＦＦ画像データを格納するＴＩＦＦ−Ｅｘｉｆファイルに区別することができる。
【００４４】
図５〜図７を参照して本実施例にて用いられ得るＪＰＥＧデータ格納ファイルとしてのＥｘｉｆ画像ファイルの概略構成について説明する。図５はＥｘｉｆ画像ファイルのファイル構成を模式的に示す説明図である。図６は本実施例において用いられ得るＥｘｉｆ画像フォーマットにおける撮影条件タグの概略的な内部構造を詳細に示す説明図である。図７はパーソナルコンピュータＰＣのＨＤＤ１５２（またはＲＯＭ）に格納されている、撮影情報に基づき決定される撮影シーンに対応する画像処理モードＧＭを構成する複数の画質に関するパラメータが取り得る値の一例を示す説明図である。なお、本実施例中におけるファイルの構造、データの構造、格納領域といった用語は、ファイルまたはデータ等が記憶装置内に格納された状態におけるファイルまたはデータのイメージを意味するものである。
【００４５】
画像ファイルＧＦは、ＪＰＥＧ画像データＧＤ、ＪＰＥＧ画像データＧＤに対する付属情報を格納するアプリケーション・マーカセグメントＡＰＰを備えている。アプリケーション・マーカセグメントＡＰＰ（ＩＦＤ）では、各情報を特定するためにタグが用いられており、各情報はタグ名によって呼ばれることがある。図５に示すアプリケーション・マーカセグメントＡＰＰには、画像処理制御情報ＧＩを格納するタグ（領域）、Ｅｘｉｆ情報（撮影情報）を格納するタグ（領域）、サムネイル画像データが含まれている。
【００４６】
Ｅｘｉｆ情報には、ユーザ情報を格納するタグ、撮影条件を格納するタグ等が含まれている。撮影条件タグには、図６に示すように、露出時間、Ｆナンバー、レンズ焦点距離、原画像データ生成日時、露出プログラム、シャッター速度、撮影モードを始めとする撮影条件に関する各種パラメータの値が記述されている。
【００４７】
画像処理モードＧＭは、例えば、図７に示すようにコントラスト、彩度等の複数の画質に関連するパラメータによって構成され、各画質に関するパラメータの値は画像処理モードＧＭ（撮影モード）によってそれぞれ異なる値を取る。また、各画像処理モードＧＭには、番号が割り振られており、撮影情報に基づいて撮影シーンが判定される場合には、判定された撮影シーンに対応する各画像処理モードＧＭは番号によって指定される。
【００４８】
Ｃ．パーソナルコンピュータＰＣにおける画像処理：
以下、図８〜図１０を参照してパーソナルコンピュータＰＣにて実行される画像処理について説明する。図８は本実施例に係る画像処理装置（パーソナルコンピュータＰＣ）における画像処理の処理ルーチンを示すフローチャートである。図９は本実施例に係る画像処理装置（パーソナルコンピュータＰＣ）における撮影情報を用いた画質調整処理の処理ルーチンを示すフローチャートである。図１０は撮影情報と画像処理モードＧＭとを対応付けるテーブル例を示す説明図である。
【００４９】
パーソナルコンピュータＰＣのＣＰＵ１５０は、スロット１５３にメモリカードＭＣが差し込まれると、あるいは、ディジタルスチルカメラ１２に接続されている接続ケーブルＣＶが入出力端子１５４に接続されると本画質調整処理のプログラムを起動する。ＣＰＵ１５０は、ユーザの指示に従ってメモリカードＭＣから画像ファイルＧＦを読み出し、読み出した画像ファイルＧＦをＲＡＭ１５１に一時的に格納する（ステップＳ１００）。
【００５０】
ＣＰＵ１５０は、画像ファイルＧＦを検索して撮影情報が含まれているか否かを判定する（ステップＳ１１０）。ＣＰＵ１５０は、画像ファイルＧＦから撮影情報を発見（検出）することができた場合には（ステップＳ１１０：Ｙｅｓ）、撮影情報を取得して（ステップＳ１２０）、撮影情報を用いた画像処理（画質調整処理）を実行する（ステップＳ１３０）。
【００５１】
撮影情報を用いた画像処理について図９を参照して説明する。ＣＰＵ１５０は、読み出した画像ファイルＧＦに含まれる画像データＧＤを伸張し、伸張した画像データＧＤに対してマトリクスＳを用いたマトリクス演算を実行してＹＣｂＣｒ→ＲＧＢ色変換処理を実行する（ステップＳ２００）。本フローチャートにて処理される画像ファイルＧＦは、ＪＰＥＧ画像データを格納しており、ＪＰＥＧデータはＹＣｂＣｒデータを圧縮したデータである。また、現在のパーソナルコンピュータＰＣ、プリンタにおける画像処理では一般的にＲＧＢデータが用いられている。したがって、ＪＰＥＧデータの伸張（デコード）、ＹＣｂＣｒデータのＲＧＢデータへの色変換処理が必要となる。マトリクスＳは、ＪＦＩＦ規格において、ＹＣｂＣｒデータをＲＧＢデータへと変換する際に一般的に用いられるマトリクスであり、当業者にとって周知のマトリクスであるから詳細な説明は省略する。
【００５２】
ＣＰＵ１５０は、撮影情報中にポートレート、風景、夜景等のといった撮影時における撮影モードを示す撮影シーン（情報）が記述されているか否かを判定する（ステップＳ２１０）。ＣＰＵ１５０は、撮影情報中に撮影シーンを検出した場合には（ステップＳ２１０：Ｙｅｓ）、撮影情報に記述された撮影シーンに対応する画像処理モードＧＭを選択・取得し（ステップＳ２２０）、取得した画像処理モードＧＭを用いた画質調整処理を実行する（ステップＳ２３０）。本実施例を含めて一般的に、撮影情報として記述され得る撮影シーンは、画像処理モードＧＭよりも少ないので、撮影情報と画像処理モードＧＭとの対応付けに問題はない。また、撮影情報として記述される撮影シーン数が画像処理モードＧＭ数を上回る場合には、画像処理モードＧＭ数を増加させれば良い。
【００５３】
画像処理モードＧＭを用いた画質調整処理について具体的に説明する。ＣＰＵ１５０は、撮影情報に基づき選択された番号に対応する、図７に示す１〜１１までのいずれかの画像処理モードＧＭにより規定される各画質に関するパラメータの値を用いて画質調整処理を実行する。画質調整処理について詳細に説明すると、ＣＰＵ１５０は、画像データＧＤを画素単位にて解析して画像データＧＤの特性を示す各種の特性パラメータ値、例えば、輝度最小値、輝度最大値、明度代表値といった画像統計値を取得する。ＣＰＵ１５０は、ＨＤＤ１５２に格納されている各特性パラメータに対して予め定められた基準値と、解析により得られた画像統計値との差を解消または低減させるように補正量を求め、画像データＧＤのＲＧＢ値を補正する。画像データＧＤの補正は、例えば、求めた補正値を入力値に対する出力値の関係を規定するトーンカーブに適用して修正し、かかるトーンカーブに対して画像データＧＤを入力値として適用することにより実行される。
【００５４】
画像処理モードＧＭにより指定された各パラメータ値は、基準値と画像統計値との差の解消の度合いまたは低減の度合い（補正量）を変更するために用いられると共に、直接、補正量（補正値）に反映される。
【００５５】
例えば、画像処理モードＧＭとして、風景モードに対応する「３」が指定されている場合には、基準値に対する補正の度合いは、コントラストについてはやや硬調（やや強めに）、明るさおよびカラーバランスについては標準に、彩度についてはやや高く（やや強めに）、シャープネスについてはやや強めに設定される。また記憶色として空色および緑色が指定されているので、ＨＤＤ１５２に予め格納されている空色および緑色データ（ＲＧＢ値）が用いられ、ノイズ除去処理はオフされる。このように、撮影シーンに応じた画像処理モードに従って画質調整処理が実行されるので、撮影シーンとして風景モードが選択された場合には、コントラストの高い硬調でメリハリの効いた画像となり、撮影シーンとして夕景モードが選択されている場合に赤色の色かぶりが除去されたり、撮影シーンとして夜景モードが選択されている場合に明度補正によって明るく補正されてしまうことはなく、撮影者の意図に沿った画質調整処理を実行することができる
【００５６】
一方、ＣＰＵ１５０は、撮影情報中に撮影シーンを検出できなかった場合には（ステップＳ２１０：Ｎｏ）、撮影情報に記述された他の撮影条件に基づいて対応する画像処理モードＧＭを選択・取得し（ステップＳ２４０）、取得した画像処理モードＧＭを用いた画質調整処理を実行する（ステップＳ２３０）。
【００５７】
各撮影条件と画像処理モードＧＭとの対応付けは、例えば、以下のように行われる。先ず、撮影者が設定を意識することなく、カメラ側にて測定、演算処理等することによって撮影情報として記述されるパラメータ、すなわち、撮影者が意図的に設定することなくディジタルスチルカメラ１２によって自動的に撮影情報に記述される情報について説明する。
【００５８】
（１）撮影情報に記述されている露出時間が１／３０以上の場合には、手ぶれが起こりやすい夜景、室内といった暗い撮影環境において生成された画像データであると判定（推定）することができる。したがって、画像処理モードＧＭの５と対応付け、画質調整処理においてノイズリダクション効果により画像の鮮鋭度を向上させる。
【００５９】
（２）撮影情報に記述されているＦナンバーが８以上であり、レンズ焦点距離が５．６の場合には、パンフォーカスを期待する風景や、集合写真（記念写真、団体写真）と判定することができる。したがって、画像処理モードＧＭの３または１１と対応付け、画質調整処理においてシャープさを上げてメリハリをつけることにより見栄えの良い画像とする。
【００６０】
（３）撮影情報に記述されている原画像データの生成日時の内、時刻が１６：３０〜１７：３０の場合には夕方における撮像画像であると判定することができる。したがって、画像処理モードＧＭの１０と対応付け、画質調整処理において赤フィルタ効果によって夕景を損なわない画像処理を実行する。
【００６１】
（４）撮影情報に記述されている露出時間が１／５００以下、Ｆナンバーが８以上、レンズ焦点距離が１０ｍｍ以上の場合には、動きの速い被写体を撮影した画像であると判定することができる。したがって、画像処理モードＧＭの８と対応付け、画質調整処理において被写体にメリハリをつけた画像処理を実行する。
【００６２】
以上の場合には、ユーザ（撮影者）の設定を伴わないディジタルスチルカメラ１２において自動的に設定される撮影条件のみに基づいて画像処理モードＧＭを選択したが、ユーザの設定した撮影条件も考慮して図１０に示すテーブルを用いて実行されても良い。本実施例において用いられる撮影条件としては、露出、シャッター速度のいずれの撮影パラメータを優先させるかを設定する露出プログラム、ＣＣＤに対する露光量の設定値を示す絞り値（Ｆナンバー）、ＣＣＤに対する露光時間の設定値を示すシャッター速度、被写体距離レンジ、増感量を示すＩＳＯスピードレート、発光禁止、強制発光といったフラッシュの動作状態を示すフラッシュの組み合わせである。なお、これら撮影条件は例示に過ぎず、この他にもホワイトバランス、ゲイン制御、撮影コントラスト・彩度・シャープネス、ディジタルズーム倍率、露出時間、光源、被写体領域等の撮影条件を適宜、上記組み合わせに加え、あるいは、別の組み合わせとして用いてもよい。
【００６３】
ＣＰＵ１５０は、画像処理モードＧＭを用いた画質調整処理が施された画像データ（ＲＧＢデータ）をＣＭＹＫデータに変換する色変換処理を実行して（ステップＳ２５０）、図８に示す画像処理ルーチンにリターンする。すなわち、画像データの表色系をカラープリンタ２０が印刷処理を実行する際に用いる表色系であるＣＭＹＫ表色系に変換する。具体的には、ＨＤＤ１５２（ＲＯＭ）に格納されているＲＧＢ表色系とＣＭＹＫ表色系とを対応付けたルックアップデーブルを用いて実行される。
【００６４】
ＣＰＵ１５０は、以上の画像処理を終えて図８に示す画像処理ルーチンにリターンすると、得られた画像データを用いて印刷出力処理を実行し（ステップＳ１４０）、本処理ルーチンを終了する。印刷出力処理では、ＣＰＵ１５０は、ハーフトーン処理、解像度変換処理を実行して、印刷用データと印刷制御コマンドとを含むラスタデータとしてカラープリンタ２０の制御回路５０に送出する。
【００６５】
ＣＰＵ１５０は、ステップＳ１１０にて画像ファイルＧＦから撮影情報を発見（検出）することができなかった場合には（ステップＳ１１０：Ｎｏ）、撮影情報を用いることなく、撮影情報とは関連性のない、予め用意された画像処理条件にしたがって、画像処理を実行する（ステップＳ１８０）。ＣＰＵ１５０は、処理された画像データを出力して（ステップＳ１４０）、本処理ルーチンを終了する。なお、通常画像処理においても、基準値を用いた画質調整処理が実行され得ることはいうまでもない。
【００６６】
以上説明したように、本実施例に係る画像処理装置としてのパーソナルコンピュータＰＣによれば、撮影情報に基づいて選択した画像処理モードＧＭを用いて画像処理（画質調整処理）を実行するので、撮影時の撮影シーン（撮影環境）に適した画質調整処理を、より多くの撮像画像に対して実行することができる。
【００６７】
また、本実施例に係るパーソナルコンピュータＰＣは、撮影情報のうち、一般的に、撮像装置によって測定、演算されるパラメータであり、撮像装置によって撮影情報に常に書き込まれる情報を用いて画質調整処理を実行することができるので、常に撮影シーンを推定し、撮影シーンに適した画質調整処理を実行することができる。すなわち、撮影者による撮影条件の設定に依存することなく、ディジタルスチルカメラ１２によって書き込まれる撮影条件（固有の仕様、測定結果、演算結果）を用いて画像データに対する画質調整を実行することができる。
【００６８】
さらに、撮影情報として撮影モードが記述されてる場合には、撮影モードに対応する画像処理モードＧＭを選択し、選択した画像処理モードＧＭを用いて画質調整処理を実行することができるので、より的確に撮影時の撮影シーンに対応した画像処理、すなわち、撮影者が望んだ画質調整処理を実行することができる。
【００６９】
また、画像処理制御情報ＧＩに画像処理モードＧＭを指定する情報が含まれていない場合には、撮影情報として記述された撮影モードを用いて選択した画像処理モードＧＭを用いて画質調整処理を実行することができるので、撮影時に選択された撮影モードに対応する画質調整処理、すなわち、撮影者が意図した画像処理を実行することができる。
【００７０】
上記実施例では、画像処理装置としてのパーソナルコンピュータＰＣによって全ての画像処理を実行し、処理が施された画像データをカラープリンタ２０に出力しているが、パーソナルコンピュータＰＣを介することなく、画像処理の全て、または、一部をカラープリンタ２０において実行し、処理が施された画像データＧＤに従って、ドットパターンを印刷媒体上に形成するようにしても良い。コンピュータ上で実行するようにしても良い。この場合には、カラープリンタ２０に図８〜１０を参照して説明した画像処理機能を持たせることによって実現される。ディジタルスチルカメラ１２にて生成された画像ファイルＧＦは、ケーブルを介して、あるいは、メモリカードＭＣを介してカラープリンタ２０に対して直接提供される。画像処理プログラムは、例えば、メモリカードＭＣの差込を検知することによって、あるいは、ケーブルの差込を検知することによって自動的に起動し、画像ファイルＧＦの読み込み、撮影情報の検索、画像データＧＤの変換、調整が自動的になされても良い。あるいは、カラープリンタ２０の操作パネル上に画質自動調整ボタンを供え、かかる画質自動調整ボタンによって選択された画質自動調整が選択されている場合にだけ、上記実施例の画質自動調整処理を実行するようにしても良い。
【００７１】
さらに、パーソナルコンピュータＰＣで実行される画像処理の全て、または、一部をディジタルスチルカメラ１２において実行しても良い。この場合には、ディジタルスチルカメラ１２のＲＯＭ等に格納されている、レタッチアプリケーション、プリンタドライバといった画像データ処理アプリケーションに図４〜８を参照して説明した画像処理機能を持たせることによって実現される。ディジタルスチルカメラ１２において生成された印刷制御コマンドと印刷用画像データとを含む印刷用データは、ケーブルを介して、あるいは、メモリカードＭＣを介してプリンタ２０に提供される。印刷用データを受けたプリンタ２０は、印刷用画像データに従って、ドットパターンを印刷媒体上に形成して画像を出力する。なお、ディジタルスチルカメラ１２は、印刷用画像データ（画像処理済み画像データ）をパーソナルコンピュータＰＣまたはプリンタ２０に提供しても良い。かかる場合には、パーソナルコンピュータＰＣまたはプリンタ２０において印刷用画像データに対して印刷制御コマンドが与えられる。
【００７２】
上記実施例では、出力装置としてカラープリンタ２０を用いているが、出力装置にはＣＲＴ、ＬＣＤ、プロジェクタ等の表示装置を用いることもできる。かかる場合には、出力装置としての表示装置によって、例えば、図８〜図１０を参照して説明した画像処理を実行する画像処理プログラム（ディスプレイドライバ）が実行される。あるいは、ＣＲＴ等がコンピュータの表示装置として機能する場合には、コンピュータ側にて画像処理プログラムが実行される。ただし、最終的に出力される画像データは、ＣＭＹＫ色空間ではなくＲＧＢ色空間を有している。
【００７３】
かかる場合には、カラープリンタ２０を介した印刷結果に撮影情報を反映できたのと同様にして、ＣＲＴ等の表示装置における表示結果に撮影情報を反映することができる。したがって、ディジタルスチルカメラ１２によって生成された画像データＧＤをより正確に表示させることができる。
【００７４】
上記実施例では、画像ファイルＧＦの具体例としてＥｘｉｆファイルフォーマットの画像ファイルを例にとって説明したが、本発明に係る画像処理装置によって処理可能な画像ファイルの形式はこれに限られず、例えば、この他にもＪＦＩＦ、ＴＩＦＦファイルフォーマットの画像ファイルＧＦが用いられ得る。すなわち、画像データＧＤと、少なくとも画像データＧＤに関連付けられた撮影情報を含む画像ファイルであれば良い。
【００７５】
上記実施例において用いたパーソナルコンピュータＰＣ、カラープリンタ２０はあくまで例示であり、その構成は各実施例の記載内容に限定されるものではない。パーソナルコンピュータＰＣ、カラープリンタ２０にあっては、少なくとも、撮影情報を格納し得る画像ファイルＧＦから撮影情報を検索し、検索された撮影情報を用いて画像処理モードＧＭを選択し、選択した画像処理モードＧＭを用いて画質を自動調整し、画像を出力（印刷）できればよい。
【００７６】
上記実施例では、画像データＧＤと撮影情報とが同一の画像ファイルＧＦに含まれる場合を例にとって説明したが、画像データＧＤと撮影情報とは、必ずしも同一のファイル内に格納される必要はない。すなわち、画像データＧＤと撮影情報とが関連付けられていれば良く、例えば、画像データＧＤと撮影情報とを関連付ける関連付けデータを生成し、１または複数の画像データＧＤと撮影情報とをそれぞれ独立したファイルに格納し、画像データＧＤを処理する際に関連付けられた撮影情報を参照しても良い。かかる場合には、撮影情報を利用する画像処理の時点では、画像データおよび撮影情報とが一体不可分の関係にあり、実質的に同一のファイルに格納されている場合と同様に機能するからである。さらに、ＣＤ−ＲＯＭ、ＣＤ−Ｒ、ＤＶＤ−ＲＯＭ、ＤＶＤ−ＲＡＭ等の光ディスクメディアに格納されている動画像ファイルも含まれる。
【００７７】
以上、実施例に基づき本発明に係る画像処理装置、画像処理方法、画像出力装置を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【図１】本発明に係る画像処理装置を適用可能な画像処理システムの一例を示す説明図である。
【図２】画像ファイル（画像データ）を生成可能なディジタルスチルカメラの概略構成を示すブロック図である。
【図３】ディジタルスチルカメラにおける撮影モードの選択場面を示す説明図である。
【図４】本実施例に係る画像処理装置として機能するカラープリンタの概略構成を示すブロック図である。
【図５】Ｅｘｉｆ画像ファイルのファイル構成を模式的に示す説明図である。
【図６】本実施例において用いられ得るＥｘｉｆ画像フォーマットにおける撮影条件タグの概略的な内部構造を詳細に示す説明図である。
【図７】パーソナルコンピュータＰＣのＨＤＤ１５２（またはＲＯＭ）に格納されている、撮影情報に対応する画像処理モードＧＭを構成する複数の画質に関するパラメータが取り得る値の一例を示す説明図である
【図８】本実施例に係る画像処理装置（パーソナルコンピュータＰＣ）における画像処理の処理ルーチンを示すフローチャートである。
【図９】本実施例に係る画像処理装置（パーソナルコンピュータＰＣ）における撮影情報を用いた画質調整処理の処理ルーチンを示すフローチャートである。
【図１０】撮影情報と画像処理モードＧＭとを対応付けるテーブル例を示す説明図である。
【符号の説明】
１２…ディジタルスチルカメラ
１２１…光学回路
１２２…画像取得回路
１２３…画像処理回路
１２４…制御回路
１２６…選択・決定ボタン
１２７…液晶ディスプレイ
１４…ディスプレイ
１５０…演算処理装置（ＣＰＵ）
１５１…ランダムアクセスメモリ（ＲＡＭ）
１５２…ハードディスクドライブ（ＨＤＤ）
１５３…メモリカードスロット
１５４…入出力端子
２０…カラープリンタ
３０…キャリッジ
３１…キャリッジモータ
３２…プラテン
３３…紙送りモータ
３４…摺動軸
３５…駆動ベルト
３６…プーリ
５０…制御回路
ＩＨ１〜ＩＨ４…印字ヘッド
ＧＦ…画像ファイル
ＧＤ…画像データ
ＧＩ…画像処理制御情報
ＧＭ…画像処理モード
ＭＣ…メモリカード
【図１】
2005033502.tif 000003
【図２】
2005033502.tif 000004
【図３】
2005033502.tif 000005
【図４】
2005033502.tif 000006
【図５】
2005033502.tif 000007
【図６】
2005033502.tif 000008
【図７】
2005033502.tif 000009
【図８】
2005033502.tif 000010
【図９】
2005033502.tif 000011
【図１０】
2005033502.tif 000012